【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
放送信号を送信する方法であって、
受信ターミナルに表示させる複数の放送オブジェクトに対する表示制御情報を発生すること、
前記複数の放送オブジェクトと前記表示制御情報との双方を含む放送信号を前記受信ターミナルに送信すること、
を含んで構成され、
前記表示制御情報は、前記受信ターミナルが複数の映像を表示する方法についての命令を含むことを特徴とする方法。
【請求項２】
前記表示制御情報に含まれる命令は、前記受信ターミナルに表示させる前記放送オブジェクトの表示順序を指示するものであることを特徴とする請求項１に記載の方法。
【請求項３】
前記表示制御情報に含まれる命令は、第１放送オブジェクト及び第２放送オブジェクトの双方が受信された後であって、第３放送オブジェクト及び第４放送オブジェクトが受信されるまでに、前記受信ターミナルが、前記受信第１放送オブジェクト及び前記受信第２放送オブジェクトを所定の時間間隔で繰り返し表示するように指示するものであり、
前記所定の時間間隔は、前記第１放送オブジェクト及び前記第２放送オブジェクトが連続送信される時間間隔よりも短いことを特徴とする請求項１に記載の方法。
【請求項４】
前記表示制御情報に含まれる命令は、前記第３放送オブジェクト及び前記第４放送オブジェクトの双方が受信された後のみに、前記受信ターミナルが、前記第３放送オブジェクト及び前記第４放送オブジェクトを所定の時間間隔で繰り返し表示するように指示するものであることを特徴とする請求項３に記載の方法。
【請求項５】
送信された放送オブジェクトは、使用者の左目及び使用者の右目に対する左目映像及び右目映像をそれぞれ含む２次元映像に対応し、
前記表示制御情報に含まれる命令は、３次元映像を生成するために、前記左目映像及び前記右目映像の双方が受信された後、所定の間隔で、前記受信ターミナルが、前記左目映像及び前記右目映像を順次に表示するように指示するものであり、
前記所定の時間間隔は、前記左目映像及び前記右目映像が連続送信される時間間隔よりも短いことを特徴とする請求項１に記載の方法。
【請求項６】
送信された放送オブジェクトは、使用者の左目及び使用者の右目のそれぞれに対する少なくとも第１左目２次元映像及び第１右目２次元映像に対応し、及び、使用者の左目及び使用者の右目のそれぞれに対する少なくとも第２左目２次元映像及び第２右目２次元映像に対応し、
前記表示制御情報に含まれる命令は、前記第１及び第２左目２次元映像と前記第１及び第２右目２次元映像との双方が受信された後であって、第３及び第４左目２次元映像と第３及び第４右目２次元映像とが受信されるまでに、前記受信ターミナルが、前記第１及び第２左目２次元映像と前記第１及び第２右目２次元映像とを所定の時間間隔で繰り返し表示するように指示するものであり、
前記所定の時間間隔は、前記第１及び第２左目２次元映像と前記第１及び第２右目２次元映像とが連続送信される時間間隔よりも短いことを特徴とする請求項１に記載の方法。
【請求項７】
送信された放送オブジェクトは、第１グループの複数の映像と第２グループの複数の映像とに対応し、
前記表示制御情報に含まれる命令は、前記第１グループ及び前記第２グループの双方が受信された後のみに、前記受信ターミナルが、前記第１グループの映像を所定の時間間隔で表示するように指示するものであり、
前記所定の時間間隔は、前記第１グループ及び前記第２グループの映像が連続送信される時間間隔よりも短いことを特徴とする請求項１に記載の方法。
【請求項８】
送信された放送オブジェクトは、複数の２次元映像と３次元映像とに対応し、
前記表示制御情報に含まれる命令は、対応する３次元映像の一部が前記受信ターミナルによって受信されない場合、前記受信ターミナルが、対応する３次元映像を２次元映像として表示するように指示するものであることを特徴とする請求項１に記載の方法。
【請求項９】
前記表示制御情報は、
前記放送オブジェクトが２次元映像又は３次元映像のいずれを含むかを示す情報と、
前記放送オブジェクトが前記２次元映像のグループ又は前記３次元映像のグループのいずれに対応するかを示す情報と、
前記放送オブジェクトの数を示す情報と、
各々の前記放送オブジェクトのシリアルナンバーを示す情報と、
連続表示される前記放送オブジェクト間の時間間隔を示す情報と、の少なくとも１つを含むことを特徴とする請求項１に記載の方法。
【請求項１０】
放送信号を受信する方法であって、
前記放送信号を受信すること、
前記受信放送信号から複数の放送オブジェクトと表示制御情報とを抽出すること、
前記表示制御情報に従って前記放送オブジェクトを受信ターミナルに表示すること、
を含んで構成され、
前記表示制御情報は、前記受信ターミナルが複数の映像を表示する方法についての命令を含むことを特徴とする方法。
【請求項１１】
前記表示制御情報に含まれる命令は、前記受信ターミナルに表示させる前記放送オブジェクトの表示順序を指示するものであることを特徴とする請求項１０に記載の方法。
【請求項１２】
前記表示制御情報に含まれる命令は、第１放送オブジェクト及び第２放送オブジェクトの双方が受信された後であって、第３放送オブジェクト及び第４放送オブジェクトが受信されるまでに、前記受信ターミナルが、前記受信第１放送オブジェクト及び前記受信第２放送オブジェクトを所定の時間間隔で繰り返し表示するように指示するものであり、
前記所定の時間間隔は、前記第１放送オブジェクト及び前記第２放送オブジェクトが連続受信される時間間隔よりも短いことを特徴とする請求項１０に記載の方法。
【請求項１３】
前記表示制御情報に含まれる命令は、前記第３放送オブジェクト及び前記第４放送オブジェクトの双方が受信された後のみに、前記受信ターミナルが、前記第３放送オブジェクト及び前記第４放送オブジェクトを所定の時間間隔で繰り返し表示するように指示するものであることを特徴とする請求項１２に記載の方法。
【請求項１４】
受信された放送オブジェクトは、使用者の左目及び使用者の右目に対する左目映像及び右目映像をそれぞれ含む２次元映像に対応し、
前記表示制御情報に含まれる命令は、３次元映像を生成するために、前記左目映像及び前記右目映像の双方が受信された後、所定の間隔で、前記受信ターミナルが、前記左目映像及び前記右目映像を順次に表示するように指示するものであり、
前記所定の時間間隔は、前記左目映像及び前記右目映像が連続受信される時間間隔よりも短いことを特徴とする請求項１０に記載の方法。
【請求項１５】
受信された放送オブジェクトは、使用者の左目及び使用者の右目のそれぞれに対する少なくとも第１左目２次元映像及び第１右目２次元映像に対応し、及び、使用者の左目及び使用者の右目のそれぞれに対する少なくとも第２左目２次元映像及び第２右目２次元映像に対応し、
前記表示制御情報に含まれる命令は、前記第１及び第２左目２次元映像と前記第１及び第２右目２次元映像との双方が受信された後であって、第３及び第４左目２次元映像と第３及び第４右目２次元映像とが受信されるまでに、前記受信ターミナルが、前記第１及び第２左目２次元映像と前記第１及び第２右目２次元映像とを所定の時間間隔で繰り返し表示するように指示するものであり、
前記所定の時間間隔は、前記第１及び第２左目２次元映像と前記第１及び第２右目２次元映像とが連続受信される時間間隔よりも短いことを特徴とする請求項１０に記載の方法。
【請求項１６】
受信された放送オブジェクトは、第１グループの複数の映像と第２グループの複数の映像とに対応し、
前記表示制御情報に含まれる命令は、前記第１グループ及び前記第２グループの双方が受信された後のみに、前記受信ターミナルが、前記第１グループの映像を所定の時間間隔で表示するように指示するものであり、
前記所定の時間間隔は、前記第１グループ及び前記第２グループの映像が連続受信される時間間隔よりも短いことを特徴とする請求項１０に記載の方法。
【請求項１７】
受信された放送オブジェクトは、複数の２次元映像と３次元映像とに対応し、
前記表示制御情報に含まれる命令は、対応する３次元映像の一部が前記受信ターミナルによって受信されない場合、前記受信ターミナルが、対応する３次元映像を２次元映像として表示するように指示するものであることを特徴とする請求項１０に記載の方法。
【請求項１８】
前記表示制御情報は、
前記放送オブジェクトが２次元映像又は３次元映像のいずれを含むかを示す情報と、
前記放送オブジェクトが前記２次元映像のグループ又は前記３次元映像のグループのいずれに対応するかを示す情報と、
前記放送オブジェクトの数を示す情報と、
各々の前記放送オブジェクトのシリアルナンバーを示す情報と、
連続表示される前記放送オブジェクト間の時間間隔を示す情報と、の少なくとも１つを含むことを特徴とする請求項１０に記載の方法。
【請求項１９】
放送信号の送信装置であって、
受信ターミナルに表示させる複数の放送オブジェクトに対する表示制御情報を発生するように構成された発生ユニットと、
前記表示制御情報と前記複数の放送オブジェクトとを放送信号のフォーマットに形成するように構成された変換ユニットと、
前記複数の放送オブジェクトと前記表示制御情報とを受信ターミナルに送信するように構成された送信ユニットと、
を含んで構成され、
前記表示制御情報は、前記受信ターミナルが複数の映像を表示する方法についての命令を含むことを特徴とする装置。
【請求項２０】
放送信号の受信装置であって、
前記放送信号を受信するように構成された信号受信ユニットと、
受信した放送信号から複数の放送オブジェクトと表示制御情報とを抽出するように構成された抽出ユニットと、
前記表示制御情報に従って前記放送オブジェクトを前記受信ターミナルに表示させるように構成された表示装置と、
を含んで構成され、
前記表示制御情報は、前記受信ターミナルが複数の映像を表示する方法についての命令を含むことを特徴とする装置。